(57)【要約】      （修正有）【課題】近距離磁気誘導に基づく装置間通信リンクを使用してリンクされた複数の装置によって構成される聴覚装置システムを提供する。【解決手段】聴覚装置システム１は、４つの装置２、３、４、５を含む。装置２、４は、補聴器装置であり、装置３、４は補聴器システムにおける補助装置である。通信リンク６、７、８は、装置２、３、４、５の対の間の双方向通信を可能にする。通信プロトコルは、少なくとも第１タイムスロットと少なくとも第２タイムスロットとを備えるフレームを定義する。装置２と装置４との間の双方向通信は、第１送信電力レベルによって第１タイムスロットにおいて通信し、装置２と装置３及び装置４と装置５との間の双方向通信は、第１送信電力レベルとは異なる第２送信電力レベルによって第２タイムスロットにおいて通信する。【選択図】図１
2020113971.tif 000002
【特許請求の範囲】
【請求項１】
少なくとも３つの装置（２、３、４、５）を備える聴覚装置システムであって、
前記３つの装置（２、３、４、５）は、２つ以上の補聴器装置を含み、この場合、前記少なくとも３つの装置は、所定の通信プロトコルに基づいて近距離磁気誘導無線リンク（６、７、８）によってお互いに無線で通信し、
所定の通信プロトコルは、少なくとも第１タイムスロット（９；Ｔ１、Ｔ２）と少なくとも第２タイムスロット（９；Ｔ３、Ｔ４）とを備えるフレームを定義し、
少なくとも３つの装置（２、３、４、５）における装置の少なくとも第１対（２、４）は、前記第１タイムスロット（９、Ｔ１、Ｔ２）において通信し、前記少なくとも３つの装置（２、３、４、５）における装置の少なくとも第２対（２、３、４、５）は、前記第２タイムスロット（９、Ｔ３、Ｔ４）において通信し、
装置の前記第１対（２、４）は、第１送信電力レベルによって前記第１タイムスロット（Ｔ１、Ｔ２）において送信し、装置の前記第２対（２、３、４、５）は、前記第１送信電力レベルとは異なる第２送信電力レベルによって前記第２タイムスロット（Ｔ３、Ｔ４）において送信する、聴覚装置システム。
【請求項２】
前記少なくとも３つの装置（２、３、４、５）の少なくとも１つの第１装置（２）は、制御回路を含み、
前記制御回路は、
前記少なくとも３つの装置（２、３、４、５）の少なくとも２つの第２装置（３、４）の、受信されたタイプ識別子と、
前記少なくとも３つの装置（２、３、４、５）の前記第１装置（２）から前記少なくとも２つの第２装置（３、４）のそれぞれへの前記近距離磁気誘導無線リンク（６、７、８）の通信リンク品質の動的評価と、
のうちの少なくとも一方に基づいて、前記第１送信電力レベルおよび／または前記第２送信電力レベルを選択することを特徴とする、請求項１に記載の聴覚装置システム。
【請求項３】
前記制御回路は、
前記近距離磁気誘導無線リンク（６、７、８）により前記少なくとも２つの第２装置（３、４）のそれぞれから前記少なくとも１つの第１装置（２）によって受信される通信信号の前記通信リンク品質を計算することによって、前記少なくとも３つの装置（２、３、４、５）の前記少なくとも１つの第１装置（２）から前記少なくとも２つの第２装置（３、４）のそれぞれへの前記距離磁気誘導無線リンク（６、７、８）の前記通信リンク品質の前記動的評価に基づいて、前記第１送信電力レベルおよび／または前記第２送信電力レベルを選択することを特徴とする、請求項２に記載の聴覚装置システム。
【請求項４】
前記制御回路は、前記評価された通信リンク品質が所定の最低通信リンク品質未満である場合に、前記送信電力レベルを増加させることを特徴とする、請求項３に記載の聴覚装置システム。
【請求項５】
前記制御回路は、前記評価された通信リンク品質が所定の最低通信リンク品質を超える場合に、前記送信電力レベルを減少させることを特徴とする、請求項３または４に記載の聴覚装置システム。
【請求項６】
前記制御回路は、前記少なくとも２つの第２装置（３、４）のそれぞれから前記少なくとも１つの第１装置によって受信された前記通信信号のパケット誤り率およびビット誤り率のうちの少なくとも一方を計算することによって前記通信リンク品質を特定することを特徴とする、請求項２から５のいずれか一項に記載の聴覚装置システム。
【請求項７】
前記制御回路は、第１近距離磁気誘導トランシーバを介してペアリングセッションにおいて、少なくとも２つの第２装置（３、４）のそれぞれの装置タイプ識別子を交換することを特徴とする、請求項２から６のいずれか一項に記載の聴覚装置システム。
【請求項８】
前記制御回路は、特に前記第１送信電力レベルによってペアリングセッションの間に問合せ信号またはビーコン信号を送信するように前記第１近距離磁気誘導トランシーバを制御し、
前記第１送信電力レベルは、前記第２送信電力レベルより高いことを特徴とする、請求項７に記載の聴覚装置システム。
【請求項９】
前記少なくとも３つの装置（２、３、４、５）の前記少なくとも２つの第２装置（３、４）のそれぞれは、前記問合せ信号および／または前記ビーコン信号を受信したときに第２装置タイプのための装置タイプ識別子を含む応答信号を送信することを特徴とする、請求項２から８のいずれか一項に記載の聴覚装置システム。
【請求項１０】
前記少なくとも２つの第２装置（４、５）のうちの少なくとも１つは、補助装置であり、少なくとも１つの外部マイクロホン配置、例えば、ネックウォーン式（ｎｅｃｋ−ｗｏｒｎ）マイクロホンシステム、無線レシーバ、携帯電話インタフェース、バッテリ充電装置、リモートコントロールインタフェース、誘導ループインタフェース、およびＦＭレシーバ装置を含むことを特徴とする、請求項９に記載の聴覚装置システム。
【請求項１１】
前記少なくとも１つの第１装置（２）は、モノラル補聴器装置およびモノラルヘッドセットのうちの少なくとも一方であることを特徴とする、請求項２から１０のいずれか一項に記載の聴覚装置システム。
【請求項１２】
装置の前記第１対は、第１および第２補聴器装置（２、４）を含み、装置の前記第２対は、前記第１補聴器装置（２）と第１補助装置（３）とを備える、聴覚装置システム（１）であって、
前記補聴器システム（１）がユーザによって着装されたとき、装置の前記第１対（２、４）の前記装置の間の距離ｄ1が、装置の前記第２対（２、３）の前記装置の間の距離ｄ2より大きく、前記第１送信電力レベルが、前記第２送信電力レベルより大きい、請求項１から１０のいずれか一項に記載の聴覚装置システム（１）。
【請求項１３】
さらに、第２補助装置（５）を備え、前記少なくとも３つの装置（２、３、４、５）の装置の第３対（４、５）は、前記第２補聴器（４）と前記第２補助装置（５）とを備え、前記第１送信電力レベルとは異なる第３送信電力レベルによって前記第２タイムスロット（Ｔ３、Ｔ４）において送信し、前記第２および第３送信電力レベルは、前記第１送信電力レベルより低い、請求項１２に記載の聴覚装置システム（１）。
【請求項１４】
制御回路と近距離磁気誘導トランシーバとを含む補聴器装置であって、
所定の通信プロトコルに従って前記近距離磁気誘導トランシーバを介して通信し、
前記所定の通信プロトコルが、少なくとも第１タイムスロット（９；Ｔ１、Ｔ２）と少なくとも第２タイムスロット（９；Ｔ３、Ｔ４）とを備えるフレームを定義し、
前記制御回路が、第１送信電力レベルによって第１タイムスロット（９；Ｔ１、Ｔ２）において第２デバイス（４）に第１送信信号を送信しかつ前記第１送信電力レベルとは異なる第２送信電力レベルによって第２タイムスロット（９；Ｔ３、Ｔ４）において第３デバイス（３）に第２送信信号を送信するように前記近距離磁気誘導トランシーバを制御する、補聴器装置。
【請求項１５】
少なくとも３つの装置（２、３、４、５）を備え、前記３つの装置は、少なくとも２つの補聴器装置を備え、前記少なくとも３つの装置（２、３、４、５）は、所定の通信プロトコルに基づいて近距離磁気誘導無線リンク（６、７、８）によってお互いに無線で通信し、前記所定の通信プロトコルは、少なくとも第１タイムスロット（９；Ｔ１、Ｔ２）と第２タイムスロット（９；Ｔ３、Ｔ４）とを含むフレームを定義する、聴覚システム（１）のための通信方法であって、
前記少なくとも３つの装置（２、３、４、５）の装置の第１対（２、４）が第１送信電力レベルによって前記第１タイムスロット（９、Ｔ１、Ｔ２）において通信するステップと、
前記少なくとも３つの装置の装置の第２対（２、３、４、５）は、前記第１送信電力レベルとは異なる第２送信電力レベルによって第２タイムスロット（９；Ｔ３、Ｔ４）において通信するように構成されるステップと、を備える、通信方法。
【発明の詳細な説明】
【技術分野】
【０００１】
本発明は、聴覚装置システムに関する。特に、聴覚装置システムのための近距離磁気誘導リンクおよび対応する通信方法によって通信する空間的に分離された装置を含む聴覚装置システムに関する。
【背景技術】
【０００２】
聴覚装置システムは、一般的に周知である。聴覚装置システムは、補聴器システムのユーザの外耳道内に聴力損失補償音声を提供する補聴器システムを含み得る。
【０００３】
聴覚装置システムの他の例はヘッドセットであり、これは、聴力損失補償を実施しないが、音源装置、例えば、携帯電話または無線レシーバなど、からの音声を外耳道内へ提供する。
【０００４】
無線装置システムは、多くの場合、それぞれが別個のハウジングを有する複数の装置を含み、それぞれの装置は、ユーザにおける異なる位置、特に、ユーザの頭部の周りに配置される。
【０００５】
補聴器システムとして機能する聴覚装置システムは、ユーザのそれぞれの耳の耳介の後ろに着装される２つの装置を含み得る。これらの装置は、聴力損失補償を提供するための電気部品、例えば、マイクロホン、増幅器、およびマイクロコントローラ／信号プロセッサなど、を収容する、耳介の後ろに着装するために特別に形状化された、Ｂｅｈｉｎｄ−Ｔｈｅ−Ｅａｒ（ＢＴＥ）型ハウジングを有する。出力トランスデューサ、例えば、小型のラウドスピーカまたはレシーバなど、は、ユーザの各外耳道内へ聴力損失補償音声を提供するＲｅｃｅｉｖｅｒ−Ｉｎ−ｔｈｅ−Ｅａｒ（ＲＩＥ）として外側外耳道に配置され得る。これらの出力トランスデューサは、ユーザの外側外耳道内への挿入のため、特別に形状化されたＩｎ−ｔｈｅ−Ｅａｒ型ハウジング、イヤピースのシェルまたはイアモールドによって囲まれ得る。
【０００６】
例えば、外部装置に対して補聴器システムのためのインタフェースなどを提供する補助装置も、当技術分野において既知である。これらの外部装置は、テレビセット、携帯電話、デジタルオーディオプレーヤ、ストリーミング装置、プログラミング装置、試験装置、外部マイクロホンアレイなど、を含み得る。いくつかの補助装置は、インタフェース機能を提供し、かつ聴覚装置システムの別の装置のＢＴＥハウジングの端部に接続するために特別に適合された電子回路部品を収容するいわゆる「ピギーバック式」ハウジング内に配置され得る。そのような「ピギーバック式」ハウジングは、しばしば、「ブート」、「オーディオブート」、または「オーディオシュー」と呼ばれる。
【０００７】
そのようなモジュール式システム構成は、ユーザに対する簡便さに関して有利であり、聴覚装置システムのプロバイダに対して、さらなるアップグレード能力を提供する。
【０００８】
複数の装置を含む聴覚装置システムは、複数の装置の間の通信機能を必要とする。装置間のいくつかの通信は、単方向であるが、他のいくつかの装置は、双方向通信も必要とする。
【０００９】
例えば、ＢＴＥハウジングとＩｎ−ｔｈｅ−Ｅａｒ型ハウジングとの間などにおいて電気ケーブルを使用する、またはＢＴＥハウジングおよび取り付けられたピギーバック式ハウジングに直接隣接して配置される物理的コネクタを使用する結線通信を介した直接通信は、当技術分野において既知である。
【００１０】
それでも、特に複数の接点を有する物理的コネクタ、および外部配線は、空間を必要とし、それは、製造コストを増加させ、着装および損傷に対して影響を受けやすい。これらの問題は、個々の装置と、聴覚装置システムが備え得る必須の装置間通信リンクと、を合わせたものである。
【００１１】
補聴器装置間の通信を向上させるための既知のアプローチは、無線通信、特に近距離磁気誘導（ＮＦＭＩ）を使用することである。このアプローチは、従来の誘導ループと同様である。既知の補聴器システムにおいて、両耳補聴器システムの２つの補聴器装置は、近距離磁気誘導によって通信し、メモリ容量に対する同時調整の便利さ、および両方の補聴器装置の間でのバイノーラル信号処理の有益性を提供する。
【００１２】
典型的には、ＮＦＭＩ通信を使用する聴覚装置システムのための通信プロトコルは、個々の装置の各対の間において双方向通信を実践するために時間分割技術を使用する。２つの装置の間の各通信リンクは、第１装置から第２装置へまたはその逆への通信方向に対して、タイムスロットを割り当てる。２つの装置の間の各通信リンクに対して、通信プロトコルによって２つのタイムスロットが提供される。必要なタイムスロットの数は、聴覚装置システムの装置の数の増加により、その間の通信リンクの数に伴って増加する。
【００１３】
しかしながら、時間分割多重化の使用は、通信帯域幅としてのモジュールアプローチの利点を減少させ、したがって、２つの装置間の個々の通信チャンネルのためのデータレートが減少する。
【００１４】
したがって、近距離磁気誘導に基づく装置間通信リンクを使用してリンクされた複数の装置によって構成される現状の技術水準の聴覚装置システムは、改良の対象であり得る。
【発明の概要】
【００１５】
独立請求項１に記載の聴覚装置システムおよび聴覚装置システムのための通信方法は、上記において説明される問題に対する有利な解決策を提供する。
【００１６】
従属請求項は、さらなる有利な実施形態を定義する。
【００１７】
少なくとも３つの装置を備える聴覚装置システムであって、３つの装置は、例えば両耳補聴器システムを形成する２つ以上の補聴器装置を含む。少なくとも３つの装置は、所定の通信プロトコルに基づいて近距離磁気誘導無線リンクよってお互いに無線で通信する。所定の通信プロトコルは、少なくとも第１タイムスロットと少なくとも第２タイムスロットとを備えるフレームを定義する。少なくとも３つの装置における装置の少なくとも第１対は、第１タイムスロットにおいて通信し、少なくとも３つの装置における装置の少なくとも第２対は、第２タイムスロットにおいて通信する。装置の第１対は、第１送信電力レベルによって第１タイムスロットにおいて送信し、装置の第２対は、第１送信電力レベルとは異なる第２送信電力レベルによって第２タイムスロットにおいて送信する。
【００１８】
ある特定の実施形態において、少なくとも３つの装置のうちの１つの装置は、装置の第１対と装置の第２対の両方に含まれる。そのような実施形態のいくつかにおいて、聴覚装置システムがユーザによって着装されるとき、装置の第１対における装置の間の第１距離は、装置の第２対における装置の間の第２距離より大きい。
【００１９】
第１対における装置および第２対における装置は、第１距離が第２距離より大きい構成において使用されるように構成され得る。これは、例えば、装置の第１対が、補聴器ユーザのそれぞれの耳または耳内に着装されるように構成された補聴器装置の対である場合、および装置の第２対が、補聴器の１つと、補聴器の１つに関連付けられた補助装置、例えば、オーディオシューなど、とを含む場合である。
【００２０】
さらに、第１送信電力レベルは、好ましくは、第２送信電力レベルより高い。さらに、そのような実施形態のうちのいくつかにおいて、第２送信電力レベルは、好ましくは、非常に弱いため、およそ第１距離またはより遠い距離において、顕著な干渉を生じない。
【００２１】
聴覚装置システムのいくつかの実施形態は、第１補聴器装置と、第２補聴器装置と、第１補聴器装置と無線で通信するように適合された第１補助装置、例えば、第１オーディオシューなど、と、第２補聴器装置と無線で通信するように適合された第２補助装置、例えば、第２オーディオシューなど、とを含む。
【００２２】
そのような実施形態のいくつかにおいて、補聴器システムがユーザによって着装されたとき、第１補聴器装置と第１補助装置との間および第２補聴器装置と第２補助装置との間のそれぞれの距離は、第１補聴器装置と第２補聴器装置との間の距離より短い。そのような実施形態のいくつかにおいて、装置の第１対は、第１および第２補聴器装置を含み、ならびに装置の第２対は、第１補聴器装置と第１補助装置とを含む。いくつかの実施形態において、装置の第３対は、第２補聴器と第２補助装置とを含む。装置の第３対は、第１送信電力レベルとは異なる第３送信電力レベルによって、第２タイムスロットにおいて送信するように構成される。第２および第３送信電力レベルのそれぞれは、第１送信電力レベルより弱い。後者の聴覚装置システムの利点は、第２および第３送信電力レベルは弱すぎるため２つの通信チャンネルの間において実質的な干渉を生じないので、第２タイムスロットにおいて第１補聴器装置および第１補助装置の２つの通信チャンネルの間のクロストークを避けつつ、第１および第２補聴器装置は、第１送信電力レベルを使用して第１タイムスロットにおいてお互いに通信し得、ならびに第２および第３送信電力レベルを使用して第２タイムスロットにおいてそれらのそれぞれの補助装置と通信し得ることである。
【００２３】
装置の第１対および装置の第２対の間の近距離磁気誘導無線リンクのために異なる電力レベルを使用することにより、ユーザが着装した場合に、装置の第１対における装置同士、および装置の第２対における装置同士による、対象の装置の空間配置に適合された好適な送信電力レベルの使用が可能となる。請求項に記載される聴覚装置システムは、補聴器装置間における既知の近距離磁気誘導無線リンクの静的な送信電力レベルの代わりに、装置の対が近接している場合に、より低い送信電力レベルを使用することを可能にする。したがって、本発明の聴覚装置システムの電力消費は、現状技術水準と比べて抑えられる。
【００２４】
さらに、本聴覚装置システムは、異なる近距離磁気誘導無線リンクにおいて、同じ周波数において並行した無線近距離磁気誘導通信を可能するという、さらなる有益性を有するが、これは、本聴覚装置システムにおいて可能なより低い送信電力レベルが、ユーザの頭部の反対側に配置されたトランスミッタとレシーバとの間の干渉および／またはクロストークを減じるかまたは排除するためである。
【００２５】
利用可能な周波数スペクトルのより効率的な利用につながる周波数分割多重通信方式の多重アクセスシステムのように、異なる通信チャンネルのために異なる周波数を使用する必要はない。したがって、本発明の実施形態において、第１および第２タイムスロットにおける送信は、実質的に同じ周波数において、例えば、同じ周波数チャンネルまたは周波数帯において、実施され得る。この特徴は、聴覚装置システムが、第１および第２タイムスロットの両方において、外部源、すなわち、ユーザの現在の環境およびユーザ自身、から最小限の干渉および反射しか受けない周波数チャンネルにおいて送信することを可能にする。同時に、異なる送信電力レベルに起因する、聴覚装置システムの装置間の干渉を避けることを可能にする。
【００２６】
さらに有利なことに、装置の異なる対の間の異なる通信チャンネルの間において十分な分離を確保するために、通信プロトコルにおいてより多くのタイムスロットを想定する必要はなく、そのため、装置間の通信帯域の増加、したがって、データ転送速度の増加が、本聴覚装置システムによって達成される。
【００２７】
好ましい実施形態により、聴覚装置システムの少なくとも３つの装置の少なくとも１つの第１装置は、制御回路を含む。制御回路は、少なくとも３つの装置の少なくとも２つの第２装置における受信したタイプ識別子に基づいて、第１送信電力レベルおよび／または第２送信電力レベルを選択するように構成される。追加的に、または選択的に、制御回路は、少なくとも３つの装置の各第２装置へのそれぞれの近距離磁気誘導無線リンクの通信リンク品質の動的評価に基づいて、第１送信電力レベルおよび／または第２送信電力レベルを選択するように構成される。
【００２８】
例えば、初期ペアリングセッションの際などに、第１装置と第２装置との間で装置タイプ識別子を交換することにより、聴覚装置システムの装置の空間配置を簡便に決定することができる。その結果、より複雑な送信品質測定を行うことなく、必要とされる近距離磁気誘導無線リンクのための好適な送信電力レベルを決定することができる。したがって、有利なことに、聴覚装置システムの実践コストは低いながら、現状技術水準に勝る有益性が完全に実現される。
【００２９】
有利な実施形態による聴覚装置システムは、制御回路が、少なくとも２つの第２装置のそれぞれから少なくとも１つの第１装置によって受信された通信信号の通信リンク品質を計算することにより、少なくとも３つの装置の各第２装置への近距離磁気誘導無線リンクの通信リンク品質の動的評価に基づいて、第１送信電力レベルおよび／または第２送信電力レベルを選択するように構成されることによって特徴付けられる。
【００３０】
通信リンク品質の監視は、近距離磁気誘導無線リンクにおいて受信された通信信号をモニターすることによって、動的にかつ並行して実施され得る。これは、並行リンクを妨げることなく各リンクにとって許容可能な品質を実現するために、通信の実際の品質をオンラインモニタリングして好適な送信電力を選択するために実際のリンク品質を評価することを可能にする。聴覚装置システムの作動中での送信電力レベルの適応的または動的調整が可能となる。
【００３１】
聴覚装置システムの好ましい実施形態において、制御回路は、評価される通信リンク品質が所定の最低通信リンク品質未満まで下がった場合に、送信電力レベルを増加させるように構成される。
【００３２】
したがって、突然に通信チャンネルにノイズ成分が追加された場合であっても、各近距離磁気誘導通信リンク品質の送信品質の動的適合が可能である。それに対して、最初に選択される送信電力レベルは、遭遇し得るかまたはし得ない、可能性のある全てのさらなるノイズ源を考慮する必要がない。したがって、聴覚装置システムの効率的な電力マネージメントが可能である。このことは、バッテリによって作動される聴覚装置システムの場合に、特に有利である。
【００３３】
聴覚装置システムの周囲の電磁干渉（ＥＭＩ）レベルは、例えば、さらなる干渉性ＲＦノイズ源およびそれによる通信リンク品質の悪化などに起因して、突然、増加する場合がある。しかしながら、本発明による送信電力レベル選択の適応性は、即座の調整、この場合は送信電力レベルを増加させること、によって対応し得、それにより、許容可能な通信リンク品質が、聴覚装置システムに対して達成される。
【００３４】
聴覚装置システムのさらなる有利な実施形態は、評価される通信リンク品質が所定の最低通信リンク品質を超えた場合に、制御回路が送信電力レベルを減少させるように構成されることによって特徴付けられる。
【００３５】
それにより、第１装置は、最大または高送信電力レベルにおいて通信セッションを開始し得、次いで、最低通信リンク品質閾値に達するまで、送信電力レベルを、徐々に、例えば、段階的に、減少させ得る。したがって、最終的に選択された送信電力レベルは、利用可能な電力の最も効率的な使用を確保するものである。このことは、バッテリ駆動式装置、例えば、聴覚装置システムおよび補聴器システムなどの場合に、最も有利である。
【００３６】
聴覚装置システムの実施形態における有利な制御回路は、少なくとも２つの第２装置のそれぞれから近距離磁気誘導無線リンクを介して少なくとも１つの第１装置によって受信された通信信号のパケット誤り率およびビット誤り率のうちの少なくとも一方を計算することによって通信リンク品質を特定するように構成される。
【００３７】
例えば、受信されたデータパケットの巡回冗長検査（ＣＲＣ）コードを使用することによって、または、ビット誤り率（ＢＥＲ）計算を実施することによって、パケット誤り率を特定する制御回路により、通信リンク品質の効果的な検査および評価が可能である。
【００３８】
さらなる有利な実施形態において、聴覚装置システムは、制御回路が、第１近距離磁気誘導トランシーバを介してペアリングセッションにおいて少なくとも２つの第２装置のそれぞれの装置タイプ識別子を交換することによって特徴付けられる。
【００３９】
ペアリングセッションにおいて装置タイプ識別子を交換することは、聴覚装置システムの個々の装置の距離に関する情報を取得する非常に効率的な方法である。したがって、近距離磁気誘導無線リンクの通信チャンネルの特性を測定するための、受信された通信信号の複雑な測定または評価あるいは特殊な音声信号の発生なしに、好適な送信電力レベルが選択され得る。
【００４０】
聴覚装置システムの好ましい実施形態の制御回路は、特に第１送信電力レベルにおいて、問合せ信号またはビーコン信号をペアリングセッションの間に送信するように、第１近距離磁気誘導トランシーバを制御するように構成される。第１送信電力レベルは、第２送信電力レベルより高い。
【００４１】
有利なことに、聴覚装置システムは、問合せ信号および／またはビーコン信号を受信したときに、第２装置タイプのための装置タイプ識別子を含む応答信号を送信するように構成された少なくとも３つの装置の少なくとも２つの第２装置を含む。
【００４２】
好ましくは、少なくとも２つの第２装置のうちの１つは、補助装置であり、少なくとも１つの外部マイクロホン配置、例えば、ネックウォーン式（ｎｅｃｋ−ｗｏｒｎ）マイクロホンシステム、無線レシーバ、携帯電話インタフェース、バッテリ充電装置、リモートコントロールインタフェース、誘導ループインタフェース（テレコイル）、およびＦＭレシーバ装置など、を含む。
【００４３】
補助装置は、聴覚装置システムの他の装置に対するそれぞれの相対距離および方向性において所定の位置に配置され得る。例えば、補助装置は、例えば、第１装置を伴うピギーバック式構成において、第１装置に対して直接隣接して配置され得、この場合、第１装置は、好ましくは補聴器装置であり得る。したがって、それぞれユーザの左耳および右耳に配置された２つのモノラル聴覚装置（補聴器）の間の近距離磁気誘導無線リンクに必要な送信電力レベルと比べてかなり低い送信電力レベルで十分であろう。したがって、補助装置を含む聴覚装置システムの場合、適応的に選択可能な送信電力レベルは、特に有利である。
【００４４】
聴覚装置システムは、好ましくは、モノラル補聴器およびモノラルヘッドセットのうちの少なくとも一方である少なくとも１つの第１装置を含む。本発明の第２態様により、第１態様による聴覚装置システムのための補聴器装置は、目的の技術的問題を取り扱う。
【００４５】
補聴器装置は、制御回路と近距離磁気誘導トランシーバとを含む。補聴器装置は、所定の通信プロトコルに従って近距離磁気誘導トランシーバを介して通信するように構成される。所定の通信プロトコルは、少なくとも第１タイムスロットと少なくとも第２タイムスロットとを含むフレームを定義する。制御回路は、第１送信電力レベルにより第１タイムスロットにおいて第２デバイスに第１送信信号を送信し、第１送信電力レベルとは異なる第２送信電力レベルにより第２タイムスロットにおいて第３デバイスに第２送信信号を送信するように近距離磁気誘導トランシーバを制御するように構成される。
【００４６】
本発明の第３態様による聴覚装置システムのための通信方法は、少なくとも３つの装置を含む聴覚装置システムを示しており、この場合、少なくとも３つの装置は、所定の通信プロトコルに基づいて近距離磁気誘導無線リンクを介して相互に無線で通信するように構成される。所定の通信プロトコルは、少なくとも第１タイムスロットと第２タイムスロットとを含むフレームシステムを定義する。通信方法は、少なくとも３つの装置における装置の第１対が第１送信電力レベルによって第１タイムスロットにおいて通信するステップと、少なくとも３つの装置における装置の第２対が、第１送信電力レベルとは異なる第２送信電力レベルによって第２タイムスロットにおいて通信するステップとを含む。
【００４７】
第３態様による聴覚システムのための通信方法は、第１態様の聴覚装置システムまたは第２態様の補聴器装置のために使用され得る。さらに、第１態様の聴覚装置システムは、本発明の第２態様による補聴器装置を含み得る。
【００４８】
本発明によるシステムおよび方法について、図を参照しながらより詳細に説明する。
【図面の簡単な説明】
【００４９】
【図１】聴覚システムの概要を提供する。
【図２】既知の聴覚システムのための時間分割多重アクセススキームの時間チャートを示す。
【図３】実施形態による聴覚システムの時間分割多重アクセススキームの時間チャートを示す。
【図４】実施形態による聴覚装置の、簡略化されたブロックダイヤグラムを示す。
【図５】実施形態による別の聴覚装置の、簡略化されたブロックダイヤグラムを示す。
【図６】実施形態による聴覚装置システムのための通信方法のフローチャートを提供する。
【図７】別の実施形態による聴覚装置システムのための通信方法のフローチャートを提供する。
【発明を実施するための形態】
【００５０】
図面の詳細な説明
聴覚装置システムおよび対応する通信方法の様々な実施例および実施形態の図面の詳細な説明において、同じ参照番号は、同じまたは対応する要素を表している。図の以下の説明は、簡潔さのために、可能であると考えられる場合、異なる図における同じ要素または対応する要素の説明を省略している。
【００５１】
図１は、聴覚装置システム１の概要を提供している。図示されている聴覚装置システム１は、単なる実施形態であり、４つの別々の装置２、３、４、５を含む。装置２、３、４、５のそれぞれは、自身のハウジングを有しており、他の装置２、３、４、５のそれぞれに対して異なる空間位置に配置される。
【００５２】
聴覚装置システム１は、好ましくは、補聴器システムである。第１装置２は、聴覚装置システム１における、ユーザの左耳に配置された左補聴器（ＬＨＩ）である。第２装置４は、聴覚装置システム１における、ユーザの右耳に配置された右補聴器（ＲＨＩ）である。
【００５３】
したがって、第１装置２と第２装置４との間の距離ｄ1は、聴覚装置システム１の典型的な用途シナリオにおいて、約０．１７ｍであってもよい。
【００５４】
第３装置３および第４装置５はそれぞれ、補聴器システムにおける補助装置であってもよい。例えば、第３装置３は、無線オーディオシューであってもよく、場合により、無線ダイレクトオーディオシュー（ＤＡＩ）とも呼ばれ、好ましくは、第１装置２のハウジングに隣接するピギーバック式ハウジング内に配置される。したがって、第３装置３は、第２装置４よりも第１装置２の非常に近くに位置される。
【００５５】
したがって、第１装置２と第３装置３との間の距離ｄ2は、聴覚装置システム１の典型的な用途シナリオにおいて、約０．０１ｍであってもよい。
【００５６】
第４装置５は、補聴器システムのさらなる補助装置であり得る。例えば、第４装置５も、無線オーディオシューであってもよく、場合により、無線ダイレクトオーディオシュー（ＤＡＩ）とも呼ばれ、第２装置４のハウジングに隣接するピギーバック式ハウジング内に配置され得る。したがって、第４装置５は、第１装置２よりも第２装置４の非常に近くに位置される。
【００５７】
したがって、第２装置４と第４装置５との間の距離ｄ3は、聴覚装置システム１の典型的な用途シナリオにおいて、約０．０１ｍであってもよい。
【００５８】
したがって、頭部に着装された聴覚装置システム１の用途において、一方の距離ｄ1と他方の距離ｄ2、ｄ3との間には、大きな差が存在する。ｄ1とｄ2、ｄ3との間のこの差は、１桁以上でさえあり得る。
【００５９】
図１は、装置２、３、４、５の間における必要な通信リンク６、７、８も示している。示されている通信リンク６、７、８のそれぞれは、装置２、３、４、５の対の間の双方向通信を可能にする双方向通信リンクである。
【００６０】
第１通信リンク６は、第１装置２と第２装置４との間の双方向通信のために２つの通信チャンネルを提供する。さらに、第２通信リンク７は、第１装置２と第３装置３との間の双方向通信のために２つの通信チャンネルを提供する。さらに、第３通信リンク７は、第２装置４と第４装置５との間の双方向通信のために２つの通信チャンネルを提供する。
【００６１】
装置２、３、４、５の間の各通信リンク６、７、８は、図１には示されていない、装置２、３、４、５の第１および第２近距離磁気誘導通信ユニットによって提供される。各第１および第２近距離磁気誘導通信ユニットは、第１および第２近距離磁気誘導通信ユニットの間において通信信号を介してデータを送信／受信するために使用される近距離磁場を発生／感知するための、対応する近距離磁気誘導アンテナ（図１には示されない）に接続される。
【００６２】
第１および第２アンテナは、第１および第２近距離磁気誘導通信ユニットのそれぞれに作動的に接続された磁場アンテナであってもよい。
【００６３】
近距離磁気誘導通信（ＮＦＭＩ）は、装置間の通信のために、伝搬しない磁場を利用する。１つの装置における磁場アンテナ、例えば、コイルなど、は、非伝搬磁場を変調し、これは、別の装置の磁場アンテナによって受信および感知される。
【００６４】
ＮＦＭＩ通信システムは、自由空間中へと外に向かって放射する電磁波を発生させて伝送するためにアンテナが使用される、いわゆる「遠距離」通信を実施する他のタイプの無線通信システムとは異なる。放射された電磁波の電力密度は、アンテナとの距離に伴って、すなわち、距離の２乗に逆比例（１／ｒ2）または−２０ｄＢ／ｄｅｃａｄｅにおいて減少し、これは、長距離通信を容易にするが、その一方で、ＮＦＭＩ通信システムは、送信エネルギーが局所的磁場内に含まれる、いわゆる「近距離」通信を実施する。磁場エネルギーは、自由空間中に放射されない。近距離伝送（ｎｅａｒ  ｆｉｅｌｄ  ｔｒａｎｓｍｉｓｓｉｏｎ）の電力密度は、アンテナまでの距離の６乗に逆比例する割合（１／ｒ6）または−６０ｄＢ／ｄｅｃａｄｅの割合で減少する。近距離と長距離との間のクロスオーバー点が、およそ、波長λを２πで割ったところに存在し、その点において、ｆＭＲＩ通信システムからの伝搬エネルギーは、全ての長距離システムと同じ伝搬則に一致し、例えば、放射されたエネルギーの電力密度は、距離の２乗に従って減少するが、しかしながら、クロスオーバー点では、伝搬されたＮＦＭＩ通信システムのエネルギーレベルは、同等な長距離通信システムより−４０ｄＢから−６０ｄＢ低い。
【００６５】
したがって、ＮＦＭＩ通信システムは、典型的には２ｍ未満のショートレンジを有する。
【００６６】
典型的なＲＦ通信において使用される標準的な変調スキーム、特に振幅変調、位相変調、および周波数変調は、ＮＦＭＩ通信システムにおいても使用することができる。
【００６７】
近距離通信の現在の商業的実践は、最も一般的には、キャリア周波数として約１３．５６ＭＨｚの周波数を使用し、約２２．１ｍの波長λを有する。
【００６８】
本発明のある実施形態における好ましいモノラル聴覚装置は、１ＭＨｚから３０ＭＨｚの範囲のキャリア周波数を使用して近距離通信を実施する。
【００６９】
特に好ましいのは、１０．６６ＭＨｚ、または１３．５６ＭＨｚ、または２２．６６ＭＨｚなどのキャリア周波数である。
【００７０】
ＮＦＭＩフィールドは、ＲＦ電磁波とは対照的に、非常に少ない吸収においてヒトの組織を通って伝送され、これは、ＮＦＭＩ通信システムを、ヒトユーザの耳に配置された装置、したがってユーザの頭部の反対側に配置された装置間の通信にとって特に好適にしている。
【００７１】
第１および第２磁場アンテナのそれぞれは、欧州特許出願公開第３３２４６５０（Ａ１）号においてより詳細に開示されるように、多層プリント回路基板（ＰＣＢ）に組み込んでもよい。
【００７２】
好ましくは、第１および第２磁場アンテナのそれぞれは、低損失および低コストにおいて強磁場を提供するために、コイル、好ましくは磁気コアを有するコイル、好ましくはフェライトコアを有するコイルを含む。
【００７３】
好ましくは、第１および第２ハウジングの第１および第２磁場アンテナは、第１および第２ハウジングがモノラル聴覚装置の通常の使用のためにユーザの耳において意図された操作上の位置に着装されたときに、第１および第２磁場アンテナの一方によって発生されて第１および第２磁場アンテナの他方によって受信される磁場の最適な受信のために配置される。
【００７４】
受信磁場アンテナとして作動する各磁場アンテナのそれぞれは、それぞれ第１および第２ハウジングにおける第１および第２磁場アンテナの全ての他の方向および位置に対して、対応する出力信号と比べて、受信した変調磁場に対応して最大の信号を出力する。
【００７５】
例えば、第１および第２磁場アンテナは、それぞれ、モノラル聴覚装置の第１および第２ハウジングに位置決めされていてもよい。第１および第２ハウジングが、モノラル聴覚装置の通常の使用のためにユーザの耳の、意図された操作上の位置に着装される場合、第１および第２磁場アンテナのうちの一方によって発生される磁場の中心軸は、第１および第２磁場アンテナの他方によって発生される磁場における対応する中心軸に平行である。
【００７６】
好ましくは、最適な受信特性を実現するために、第１および第２磁場アンテナのうちの一方によって発生される磁場の中心軸は、第１および第２磁場アンテナの他方によって発生される磁場における対応する中心軸に一致する。
【００７７】
例えば、第１および第２磁場アンテナは、強磁場を提供するために、それぞれ、第１および第２コイルと第１および第２磁気コアとを含み得る。
【００７８】
第１および第２磁気コアを有する第１および第２コイルは、それぞれ、第１および第２ハウジングに位置決めされ得、それにより、第１および第２ハウジングが、モノラル聴覚装置の通常の使用のためにユーザの耳または耳内においてそれらの意図される操作上の位置に存在する場合、第１磁気コアの中心軸は、第２磁気コイルにおける対応する中心軸に平行であり、好ましくは、最適な受信のためには、対応する中心軸に一致する。
【００７９】
第１および第２磁気コアは、フェライトコアであってもよい。
【００８０】
第１磁場アンテナに接続される第１近距離磁気誘導通信ユニットも、別の装置とのフィールド無線通信、例えば、イヤ・ツー・イヤ通信、例えば、ユーザの頭部の反対側に着装される２つのモノラル聴覚装置の間の近距離無線通信、のために使用されてもよい。
【００８１】
近距離無線通信は、近距離無線通信ネットワークにおいて実施されてもよい。
【００８２】
モノラル聴覚装置は、有利には、バイノーラル聴覚システムに組み入れられてもよく、その場合、２つのモノラル聴覚装置は、データ、例えば、デジタル的にコード化されたオーディオ信号、信号処理パラメータ、制御データ、例えば、信号処理プログラムの識別など、のデジタル交換のために、ＮＦＭＩ通信を利用して相互接続され、任意選択により、他の装置、例えば、リモートコントロールなど、と相互接続される。
【００８３】
したがって、バイノーラル聴覚システムは、第１モノラル聴覚装置と第２モノラル聴覚装置とによって提供され、この場合、第１および第２モノラル聴覚装置のそれぞれは、第１磁場アンテナに接続された第１近距離磁気誘導通信ユニットを有し、第１近距離磁気誘導通信ユニットのそれぞれがそれぞれの第１磁場アンテナに接続される間、イヤ・ツー・イヤ通信、例えば、バイノーラル聴覚システムにおける第１および第２モノラル聴覚装置の間の近距離無線データ通信、を実施するために適合される。
【００８４】
選択的に、第１および第２モノラル聴覚装置の一方または両方は、第２ハウジングを有する。
【００８５】
図２は、既知の聴覚システム１のための通信スキームのタイムチャートを示している。
【００８６】
図２は、所定の通信プロトコルにおける１つのタイムフレーム（期間、フレーム）を表している。図１に示されるような聴覚システム１の個々の装置２、３、４、５の間の通信のために、所定の通信プロトコルが使用される。
【００８７】
フレームは、時間分割多重アクセスシステムのためのエンティティであり、この場合、装置の１つは、１つまたは複数のタイムスロットの間に送信し得るか、少なくとも１つの他のタイムスロットの間に受信し得るか、または１つまたは複数のタイムスロットの間に送信も受信もし得ない。
【００８８】
図２に示されるタイムチャートは、通信プロトコルの単一のフレームを表しており、これは、図１の聴覚システムの装置の間の通信を可能にする。フレームは、タイムスロットＴ１からＴ６として連続して付番された６つのタイムスロット９を含む。聴覚システム１の装置２、３、４、５の間の双方向通信リンク６、７、８を実践するために、フレームは、６つのタイムスロット９を含む。図２は、装置２、３、４、５がデータを送信し得か、装置２、３、４、５がデータを受信し得るか、またはデータを送信も受信もし得ない場合の各装置２、３、４、５について示している。
【００８９】
時間ｔ0から時間ｔ1の範囲であるタイムスロットＴ１の間、図２は、送信状態１０の第１装置２を示している。送信状態１０において、第１装置２の近距離磁気誘導通信ユニットは、第２装置４にデータを送信してもよい。したがって、第２装置４、特にその近距離磁気誘導通信ユニットは、第１タイムスロットＴ１の間、受信状態にある。聴覚システム１の他の装置３、５の近距離磁気誘導通信ユニットは、タイムスロットＴ１の間、非アクティブ状態１２にある。
【００９０】
時間ｔ1から時間ｔ2の範囲であるタイムスロットＴ２の間、図２は、受信状態１１の第１装置２を示している。受信状態１１において、第１装置２の近距離磁気誘導通信ユニットは、第２装置４の近距離磁気誘導通信ユニットによって送信されたデータを受信し得る。したがって、第２装置４の近距離磁気誘導通信ユニットは、第２タイムスロットＴ２の間、送信状態１０にある。聴覚システム１の他の装置３、５の近距離磁気誘導通信ユニットは、タイムスロットＴ２の間、非アクティブ状態１２にある。
【００９１】
したがって、タイムスロットＴ１、Ｔ２は、第１装置２と第２装置３との間の双方向通信を可能にする。
【００９２】
完全に対応する方式において、図２に表されたフレームのタイムスロットＴ３およびＴ４は、聴覚システム１の第１装置２と第３装置３との間の双方向通信リンク７のために確保される
【００９３】
完全に対応する方式において、図２に示されたフレームのタイムスロットＴ５およびＴ６は、聴覚システム１の第２装置４と第４装置５との間の双方向通信リンク８のために確保される。
【００９４】
所定の通信プロトコルのフレームの６つのタイムスロット９は、聴覚システム１の装置２、３、４、５の対（ピア・ツー・ピア通信）の間にタイムデュプレックス（ＴＤ）において双方向通信リンク６、７、８による時間分割多重アクセス（ＴＤＭＡ）通信システムを実践する。
【００９５】
図３は、ある実施形態による聴覚システム１の時間分割多重アクセススキームに対するタイムチャートを表している。
【００９６】
本発明の聴覚システム１のある実施形態による装置２、３、４、５の近距離磁気誘導通信ユニットは、少なくとも第１送信電力レベルまたは第２送信電力レベルによって送信信号においてデータを送信することができる。
【００９７】
好ましくは、近距離磁気誘導通信ユニットは、複数の別個の送信電力レベルによって送信信号においてデータを送信し得るか、または幅広い範囲の送信電力において連続して変化する送信電力レベルによって送信信号を発し得る。
【００９８】
図３は、本発明のある実施形態による所定の通信プロトコルの単一のフレーム（期間）を表しており、これは、図１の聴覚システムの装置２、３、４、５の間の通信を可能にする。フレームは、タイムスロットＴ１からＴ４として連続して付番された４つのタイムスロット９のみを含む。本発明の聴覚システム１の装置２、３、４、５の間の双方向通信リンク６、７、８を実践するために、フレームは、４つのタイムスロット９を含む。図３は、装置２、３、４、５が第１送信電力レベルによってデータを送信し得る場合、装置２、３、４、５が第２送信電力レベルによってデータを送信し得る場合、装置２、３、４、５がデータを受信し得る場合、または装置２、３、４、５がデータを送信も受信もし得る場合の各装置２、３、４、５について示している。
【００９９】
時間ｔ0から時間ｔ1の範囲であるタイムスロットＴ１の間、図３は、第１装置２が第１送信状態１３にあることを示している。第１送信状態１３において、第１装置２の近距離磁気誘導通信ユニットは、第１送信電力レベルによって送信信号においてデータを第２装置４に送信し得る。したがって、第２装置４、特にその近距離磁気誘導通信ユニットは、第１タイムスロットＴ１の間、受信状態１１にある。聴覚システム１の他の装置３、５の近距離磁気誘導通信ユニットは、タイムスロットＴ１の間、非アクティブ状態１２にある。
【０１００】
時間ｔ1から時間ｔ2の範囲であるタイムスロットＴ２の間、図２は、第１装置２が受信状態１１にあることを示している。受信状態１１において、第１装置２の近距離磁気誘導通信ユニットは、第２装置４の近距離磁気誘導通信ユニットによって送信されたデータを受信し得る。したがって、第２装置４の近距離磁気誘導通信ユニットは、第２タイムスロットＴ２の間、第１送信状態１３にある。
【０１０１】
聴覚システム１の他の装置３、５の近距離磁気誘導通信ユニットは、タイムスロットＴ２の間、非アクティブ状態１２にある。
【０１０２】
したがって、タイムスロットＴ１、Ｔ２は、第１装置２と第２装置３との間の双方向通信を可能にする。
【０１０３】
第１装置２および第２装置４の近距離磁気誘導通信ユニットは、それぞれ、第１送信電力レベルによって送信信号を発する。
【０１０４】
時間ｔ2から時間ｔ3の範囲であるタイムスロットＴ３の間、図３は、第１装置２が第２送信状態１４にあることを示している。第２送信状態１４において、第１装置２の近距離磁気誘導通信ユニットは、第２送信電力レベルによって送信信号においてデータを第３装置３に送信し得る。したがって、第３装置３、特にその近距離磁気誘導通信ユニットは、第３タイムスロットＴ３の間、受信状態１１にある。
【０１０５】
図１および図３の実施例は、第２送信電力レベルが第１送信電力レベルより低くあるべきことを示している。一方の第１装置２と第２装置４との間の空間距離ｄ1は、他方の第１装置２と第３装置３との間の空間距離ｄ2よりも長く、特に著しく長い。
【０１０６】
したがって、第１装置２と第３装置３との間の近距離通信は、第２装置４および第４装置５に干渉しない。
【０１０７】
タイムスロットＴ３の間、第２装置４は、第２送信状態１４にある。第２装置２の近距離磁気誘導通信ユニットは、第２送信電力レベルによって送信信号においてデータを第４装置５に送信し得る。したがって、第４装置５、特にその近距離磁気誘導通信ユニットは、第３タイムスロットＴ３の間、受信状態１１または受信モードにある。
【０１０８】
したがって、第２装置４と第４装置５との間の近距離通信は、第１装置２および第３装置３に干渉しない。
【０１０９】
したがって、第１装置２と第３装置３との間の近距離通信は、第２装置４および第４装置５に干渉しない。
【０１１０】
タイムスロットＴ４の間、第２装置４は、受信状態１１にある。第４装置５の近距離磁気誘導通信ユニットは、第２送信電力レベルによって送信信号においてデータを第２装置４に送信し得る。したがって、第４装置５、特にその近距離磁気誘導通信ユニットは、第４タイムスロットＴ４の間、第２送信状態１４にある。
【０１１１】
第２送信状態１４は、第１送信電力レベルより低い第２送信電力レベルによって送信するステップのみを伴い、ならびに一方の第１装置２と第２装置４との間の距離ｄ1は、他方の第２装置４と第４装置５との間の距離ｄ3より長いため、第２装置４と第４装置５との間の近距離通信は、第１装置２および第３装置３に干渉しない。
【０１１２】
図４は、聴覚システム１のある実施形態による補聴器装置２、３、４、５の、簡素化されたブロックダイヤグラムを示している。
【０１１３】
図４に示されたブロックダイヤグラムは、特に、図１に示された補聴器装置の電子回路部品２１を表している。
【０１１４】
図示された聴覚装置回路２１は、前部マイクロホン２２と後部マイクロホン２３とを含む。前部マイクロホン２２および後部マイクロホン２３は、聴覚装置システム１の周囲からのアコースティックサウンド信号を、前部および後部マイクロホン２２、２３によって出力される対応するマイクロホンオーディオ信号２４、２５へと変換する。マイクロホンオーディオ信号２４、２５は、２つのそれぞれのデジタルマイクロホンオーディオ信号２８、２９へのマイクロホンオーディオ信号２４，２５の変換のために、それぞれのＡ／Ｄコンバータ２６、２７に供給される。デジタルマイクロホンオーディオ信号２８、２９は、任意選択により、事前にフィルタリングされてもよく、その場合、プレフィルタは、図４には表されておらず、ならびに連続信号コンバイナ３０において結合される。信号コンバイナ３０は、例えば、補聴器システムの分野において周知の、指向性を有するデジタルマイクロホンオーディオ信号３１を形成および出力し得る。デジタルマイクロホンオーディオ信号３１は、信号ルータ３２に入力される。信号ルータ３２は、信号ルータ３２への信号入力の加重和に基づいて加重和信号３３を出力するように構成される。信号ルータ３２によって出力される加重和信号３３は、次いで、信号ルータ出力信号３３に基づいて聴力損失補償出力信号３５を発生させるように構成された聴力損失プロセッサ３４に適用される。聴力損失補償出力信号３５は、ユーザの外耳道内へおよび鼓膜への伝送のためのアコースティックサウンドへの変換のために、出力トランスデューサ３６、例えば、小型のラウドスピーカスピーカまたはレシーバ、に適用される。
【０１１５】
図示された聴覚装置回路２１はさらに、様々なトランスミッタ、例えば、携帯電話、スマートフォン、デスクトップコンピュータ、タブレットコンピュータ、ラップトップコンピュータ、ラジオ、メディアプレーヤ、コンパニオン用マイクロホン、ブロードキャストシステム、例えば、教会、講堂、シアタ、映画館などの公共の場に設置されたものなど、場内アナウンス設備、例えば、駅、空港、ショッピングモールなど、からの制御信号およびデジタルオーディオ信号などのデータを受信するように構成される。
【０１１６】
図４に示された実施形態において、別の装置が、第１ハウジング３８に取り外し可能に取り付けられた第２ハウジング３７によって、デジタルオーディオ信号を含むデータを聴覚装置２１に無線で送信することが可能である。後者のハウジング３８は、特に、聴覚装置回路２１の構成要素、例えば、前部マイクロホン２２、後部マイクロホン２３、Ａ／Ｄコンバータ２６、２７、信号コンバイナ３０、信号ルータ３２、聴力損失プロセッサ３４、および出力トランスデューサ３６など、を含む。
【０１１７】
第２ハウジング３７は、特に、ＲＦアンテナ３９とＲＦアンテナ３９に接続された無線トランシーバ４０とを収容し得る。無線トランシーバ４０は、例えば、ステレオオーディオ信号またはモノラルオーディオ信号を表すデジタルオーディオなどの、ＲＦアンテナ３９から受信した信号から受信したデジタルデータを抽出しデコードする。第２ハウジング３７は、ＲＦアンテナ３９によって受信した信号を、第１ハウジング３８によって収容され、かつ、フェライトコアの周りに巻かれたコイルを含む対応する第１磁場アンテナ４４による受信のために局所的な非伝搬磁場を第２磁場アンテナ４３が放つような方式において、第２磁場アンテナ４３による送信にとって好適な、変調された信号へと変調するように構成された第２近距離磁気誘導通信ユニット４２も収容する。送信磁場アンテナ４３および受信磁場アンテナ４４の中心軸は、第２ハウジング３７が意図された操作上の位置において第１ハウジング３８に取り付けられた場合に最適な、または実質的に最適な受信のために、平行に揃えられる。第１ハウジング３８は、第１近距離磁気誘導通信ユニット４５も収容し、第１近距離磁気誘導通信ユニット４５は、第１磁場アンテナ４４に接続され、ステレオオーディオ信号またはモノラルオーディオ信号を表すデジタルオーディオなどの、第１磁場アンテナ４４から受信した信号からデジタルデータを取得し、それを信号ルータ３２に送ることによって、ステレオチャンネルまたはモノラルオーディオ信号のデジタルオーディオを、聴力損失補償のために聴力損失プロセッサ３４に入力されるオーディオ信号３３に含ませる。
【０１１８】
信号ルータ３２は、図４に示されていないさらなる補聴器装置から意図されるステレオチャンネルまたはモノラルオーディオ信号をルーティングするように構成される。ユーザの他の耳に着装された第１近距離磁気誘導通信ユニット４５は、関心対象のステレオチャンネルまたはモノラルオーディオ信号のデジタルオーディオを、送信にとって好適な変調された信号へと変調し、その一方で、第１磁場アンテナ４４は、例えば、両方の補聴器装置が、通常の操作使用の際にユーザのそれぞれの耳における操作上の位置に着装される場合に最適なまたは実質的に最適な受信のために、磁場線が他の補聴器装置の第１ハウジング３７における第２磁場アンテナ４３のフェライトコアに揃えられるように、図示されていない他の補聴器装置の方向に局所的な非伝搬磁場を放つ。これは、両方のモノラル補聴器装置が、通常の操作使用の際にユーザのそれぞれの耳においてそれらの意図される操作上の位置に着装される場合に、縦軸が平行に、好ましくは一致するように磁場アンテナのフェライトコアを位置決めすることによって得られる。
【０１１９】
他のモノラル補聴器装置は、図４に示されるように、それらのそれぞれの第１ハウジング３７に収容された同じ回路配置を有し得、この場合、第１磁場アンテナ４４は、変調された磁場を受信し、それを、第１近距離磁気誘導通信ユニット４５への入力に適用される、対応する電圧または電流に変換する。第１近距離磁気誘導通信ユニット４５は、ステレオチャンネルまたはモノラルオーディオ信号のデジタルオーディオを変調して、それを信号ルータ３２に送るように構成される。信号ルータ３２は、聴力損失補償処理のために聴力損失プロセッサ３４に送信される信号ルータ出力信号３３に、ステレオチャンネルまたはモノラルオーディオ信号のデジタルオーディオを含ませ得る。
【０１２０】
このように、他方の耳のためのステレオチャンネルモノラルオーディオ信号のデジタルオーディオは、その送信経路におけるわずかな減衰のみで他方の耳のモノラル補聴器装置に送信される。デジタルオーディオは、様々な音源からのオーディオ信号を含み得、したがって、デジタルオーディオは、信号ルータ３２に対して複数の入力信号、特に、オーディオの各音源に対して１つの入力信号、を形成し得る。
【０１２１】
ＲＦアンテナ３９によるデジタルオーディオの受信イベントにおいて、デジタルオーディオは、ユーザへと送信され得、その一方で、デジタルマイクロホンオーディオ信号３１は、デジタルオーディオの送信の間に弱められ得る。デジタルマイクロホンオーディオ信号３１は、ミュートもされ得る。ユーザは、術分野において周知のタイプの、モノラル補聴器装置のユーザインタフェースによって入力し、デジタルマイクロホンオーディオ信号３１をミュートするか否か、弱めるか否か、または変わらないままにするか否かを制御する。
【０１２２】
図に示された補助装置の第２ハウジング３７は、第２ハウジング３７によって収容される電子回路２１の無線トランシーバ４０および第２近距離磁気誘導通信ユニット４２などの電気部品に電力を供給するために、例えば、コンデンサ４６の形態において、再充電可能なエネルギー貯蔵装置も収容する。コンデンサ４６は、第２磁場アンテナ４３によって受け取られかつダイオード４７を介してコンデンサ４６に供給されるエネルギーによって再充電される。
【０１２３】
第１近距離磁気誘導通信ユニット４５は、コンデンサ４６または任意の他の再充電可能な貯蔵装置を再充電するため、第２磁場アンテナ４３への送信のために高周波信号、好ましくはキャリア信号を、例えば、１０．６６ＭＨｚまたは２２．６６ＭＨｚの周波数において、第１磁場アンテナ４４に送る。
【０１２４】
追加的に、または選択的に、第２ハウジング３７によって収容される電気回路部品は、図４には示されていないバッテリによって電力供給される。
【０１２５】
第１ハウジング３８によって収容される電気回路部品は、例えば、やはり図４には示されていないバッテリによって電力供給される。
【０１２６】
図５は、補聴器システムのある実施形態における別の聴覚装置４８の、簡素化されたブロックダイヤグラムを示している。ブロックダイヤグラムは、特に、その第２ハウジング３７がイヤピースのハウジングであるＲＩＥ補聴器の形態において、別のモノラル補聴器の電子回路部品を示している。
【０１２７】
図に示されたモノラル補聴器装置のイヤピースは、新規のモノラル補聴器装置において、イヤピースをＢＴＥハウジングの電子回路部品と相互接続するための、欧州特許出願公開第３１０１９１７（Ａ１）号において開示されるコネクタ、導体、およびワイヤードインタフェースのケーブルが、図４に示される電子部品回路部品の無線インタフェースと同様の方式において第１磁場アンテナ４４によって近距離無線データ通信を実施するために、第１近距離磁気誘導通信ユニット４５と、第１ハウジング６０によって収容される第１磁場アンテナ４４と、第２近距離磁気誘導通信ユニット４２と、イヤピースのハウジング３７によって収容される第２磁場アンテナ４３とを含む近距離無線インタフェースによって置き換えられていることを除いて、欧州特許出願公開第３１０１９１７（Ａ１）号において開示されるＲＩＥ補聴器装置のイヤピースと同様である。
【０１２８】
図５に示される新規のモノラル補聴器４８は、図５には示されていない補聴器４８のユーザの耳介の後ろに着装するのに適合されたＢＴＥハウジング３８の形態において第１ハウジング３８を含む。第１ハウジング３８は、出力トランスデューサ３６が、第１ハウジング３８からイヤピースの第２ハウジング３７へと移動させられていることを除いて図４に表されるハウジング３８の電子回路部品と同様の電子回路部品を収容する。
【０１２９】
第１ハウジング３８の図４に示された電子回路部品のように、第１ハウジング３８は、近距離無線データ通信を実施するために、第１近距離磁気誘導通信ユニット４５と第１近距離磁気誘導通信ユニット４５に接続された第１磁場アンテナ４４とを収容する。しかしながら、図５に示された電子回路部品において、聴力損失補償出力信号は、第１近距離磁気誘導通信ユニット４５に入力され、イヤピースのそれぞれの第２ハウジング３７に収容される第２近距離磁場アンテナ４３および第１近距離磁気誘導通信ユニット４２によって、出力装置３６への送信のために無線によってイヤピースに送信される。
【０１３０】
電子部品回路は、図５において破線で描かれた任意選択の構成要素、例えば、無線トランシーバ４０と接続されたＲＦアンテナ３９、によって示されるように、図４に示されるのと同じ方式において、図５の第１ハウジング３８の電子回路部品にも含まれ得る。
【０１３１】
したがって、モノラル補聴器装置はさらに、イヤピースのハウジング３７の形態において第２ハウジング３７を含む。イヤピースのハウジング３７は、第１磁場アンテナ４４および第１近距離磁気誘導通信ユニット４５によって近距離無線データ通信を実施するために、第２近距離磁気誘導通信ユニット４２と、第２近距離磁気誘導通信ユニット４２に接続された第２磁場アンテナ４３とを収容する。
【０１３２】
イヤピースの第２ハウジング３７は、マイクロホン４９、５０と、欧州特許出願公開第３１０１９１７（Ａ１）号において開示されるようなイヤピースの構成に関連するデータを保存するための不揮発性メモリを有するマイクロコントローラ５１も収容する。
【０１３３】
図５に示される出力装置３６、マイクロホン４９、５０、およびマイクロコントローラ５１は、それぞれ、欧州特許出願公開第３１０１９１７（Ａ１）号の図４に示される出力装置３６、マイクロホン２６、６６、およびマイクロコントローラ４０に対応しており、ならびに出力装置３６、マイクロホン４９、５０、およびマイクロコントローラ５１は、欧州特許出願公開第３１０１９１７（Ａ１）号において開示されるのと同じように作動する。
【０１３４】
信号ルータ５０は、第２近距離磁気誘導通信ユニット４２から出力装置３６へ、およびマイクロホン４９、５２から第２近距離磁気誘導通信ユニット４２へ、ならびに必要に応じてマイクロコントローラ５１と第２近距離磁気誘導通信ユニット４２との間において、信号をルーティングする。
【０１３５】
第２ハウジング３７は、電子部品、例えば、第２ハウジング３７に収容された電子回路のマイクロコントローラ５１および第２近距離磁気誘導通信ユニット４２など、に電力を供給するために、コンデンサ４６の形態において再充電可能なエネルギー貯蔵装置も収容する。コンデンサ４６は、第２磁場アンテナ４３によって受け取られかつダイオード４７を通じてコンデンサ４６に供給されるエネルギーによって再充電される。
【０１３６】
第１近距離磁気誘導通信ユニット４５は、コンデンサ４６を再充電するため、第２磁場アンテナ４３への送信のために高周波信号、好ましくはキャリア信号を、例えば、１０．６６ＭＨｚまたは２２．６６ＭＨｚの周波数において、第１磁場アンテナ４４に送る。
【０１３７】
選択的に、または追加的に、図５に示されていないバッテリが、第２ハウジング３７によって収容される電子回路部品に電力を供給する。
【０１３８】
第１ハウジング３８、例えば、ＢＴＥハウジング３８、によって収容される電気回路部品は、図５には示されていないバッテリによって電力供給される。
【０１３９】
図６は、ある実施形態による聴覚システム１のための通信方法のフローチャートを提供している。特に、図６の通信方法は、初期ペアリング手順の実施例を提供している。ペアリング手順は、例えば、聴覚装置システム１の第１装置２の電力をオンに切り替えるときに実施されてもよい。
【０１４０】
選択的に、または追加的に、ペアリング手順は、聴覚装置システム１のユーザインタフェースを介して、対応するユーザ入力に対応して実行され得る。
【０１４１】
好ましくは、通信方法の方法ステップは、第１装置２、例えば、補聴器装置の、制御回路、特に、マイクロコントローラ回路によって、またはデジタル信号プロセッサ（ＤＳＰ）において実行される。
【０１４２】
第１装置２を始動した後、制御回路は、ステップＳ１において第１送信電力レベルを選択する。第１電力レベルは、近距離磁気誘導システムによって放たれる送信信号のために高送信電力レベルである。
【０１４３】
高電力は、好ましくは、複数の利用可能な送信電力レベルにおける最も高い送信電力レベルである。
【０１４４】
ステップＳ２において、第１装置２は、第１電力レベルによって問合せ信号を送信する。問合せ信号は、例えば、第１装置タイプ識別子を含み得る。第１装置タイプ識別子は、第１装置２の装置タイプを明確に識別する。
【０１４５】
例えば、第１装置タイプ識別子は、特定の構成、特に、特定の電気回路構成、を有するＢＴＥハウジングの補聴器装置として第１装置２を示す。
【０１４６】
ステップＳ２に続くステップＳ３において、第１装置は、リッスン状態に入る。リッスン状態において、第１装置、特にその近距離磁気誘導トランシーバは、第１装置の近距離磁気誘導アンテナに磁気的に接続された他の装置から放たれる近距離磁気誘導信号を受信するように適合される。
【０１４７】
ステップＳ４において、近距離磁気誘導トランシーバが、応答信号が受信されたことを判断する場合、ペアリング手順は、ステップＳ５において継続され、受信した応答信号を評価する。
【０１４８】
応答信号を評価するステップは、特に、問合せ信号の受信に対応して応答信号を送信する第３装置３の装置タイプ識別子を抽出するステップを含み得る。受信した装置タイプ識別子は、第３装置３の装置タイプを明確に識別する。
【０１４９】
例えば、第３装置３の装置タイプ識別子は、特定の電気回路部品、例えば、おそらくＢｌｕｅｔｏｏｔｈ（登録商標）インタフェースを提供する無線インタフェース、を含むピギーバック式ハウジングにおける補助装置を示す。
【０１５０】
ステップＳ６において、第１装置２、特にその制御回路は、少なくとも１つの受信された応答信号に装置タイプ識別子が含まれるか否かを特定する。例えば、受信された応答信号における装置タイプ識別子が、第２タイプ（ステップＳ６の「はい」）の場合、ペアリング手順は、ステップＳ７によって継続され、第２送信電力レベルを選択する。特に、第１装置２は、第１装置２の近距離磁気誘導トランシーバによって第３装置３に信号を送信するために、第２送信電力レベルを選択するであろう。
【０１５１】
第１装置２が、ＢＴＥハウジングにおける補聴器装置であり、第３装置３が、ピギーバック式ハウジングにおける補助装置であるような実施形態の場合、第１装置２は、第１装置２から第３装置３へと送信信号においてデータを送信するために割り当てられた、所定の送信プロトコルのフレームのタイムスロットの間に、近距離磁気誘導トランシーバの送信電力レベル第２送信電力レベルを、第１電力レベルからより低い第２電力レベルへと調節する。
【０１５２】
後続のステップＳ８において、ペアリング手順は終了し、第１装置２は、ステップＳ９へと続く。ステップＳ９において、第１装置２と第３装置３とを含む聴覚装置システム１は、従来の方式において作動するが、ただし、第１装置２は、調整された送信電力レベル、説明した実施例では、第１送信電力レベルより低い第２送信電力レベル、によって第３装置３へと送信する。
【０１５３】
ステップＳ４において、第１装置２が、ステップＳ３の間に応答信号を受信していないことを特定した場合、ペアリング手順は、直接、ステップＳ８へと進み、ペアリング手順を終了する。
【０１５４】
ステップＳ６において、第１装置２が、ステップＳ３の間に応答信号を受信していないことを特定した場合、ペアリング手順は、ステップＳ８へと進み、ペアリング手順を終了する。次いで、第１送信電力レベルとしてステップＳ１において選択された第１送信電力レベルは、選択された送信電力レベルのままである。
【０１５５】
ステップＳ６において、受信された装置タイプ識別子は、複数の異なる装置タイプ識別子への準拠のために試験され得ることは、明らかである。次いで、それぞれの送信電力レベルは、ステップＳ８における決定の結果に基づいて、２つ以上の異なる電力レベルからステップＳ７に対応して選択され得る。
【０１５６】
ステップＳ９における通信操作は、参考ステップＳ１からＳ８において説明したペアリング手順から選択された送信電力レベルを使用し得る。追加的に、または選択的に、ステップＳ９における通信操作は、通信操作の間に、選択された送信電力レベルを連続的に適合させることを可能にするさらなる手順を含んでもよい。
【０１５７】
図７は、好ましい実施形態による聴覚装置システム１のために通信操作の間に選択された送信電力レベルを連続的に適合させる通信方法における簡素化されたフローチャートを提供する。
【０１５８】
図７における選択された送信電力レベルを適合させる手順は、聴覚装置システム１の通信操作の間に、一定の間隔において実施され得る。特に、選択された送信電力レベルを適合させる手順は、聴覚装置システム１の装置２、３、４、５の間の近距離磁気誘導通信のために使用される所定の通信プロトコルの各タイムスロットの間隔において実施され得る。
【０１５９】
ステップＳ９において、装置２、３、４，５を含む聴覚装置システム１は、参考ステップＳ１からＳ８によって説明したペアリング手順から選択された送信電力レベルを使用して通信操作を実施する。追加的に、または選択的に、聴覚装置システム１は、装置２、３、４、５での近距離磁気誘導トランシーバの送信操作のために、最大送信電力レベルによって、全ての装置の間において操作を開始する。
【０１６０】
ステップＳ１０において、第１装置２は、それぞれのタイムスロット９において第２装置４から近距離磁気誘導トランシーバにおいて受信した受信信号を評価する。
【０１６１】
特に、第１装置２の制御回路は、受信した信号の受信したデータパケットのＣＲＣチェックサムに基づいて、パケット誤り率ＰＥＲを計算し得る。追加的に、または選択的に、制御回路は、受信した信号において受信したデータビットから、ビット誤り率ＢＥＲを計算し得る。次いで、制御回路は、ステップＳ１０の計算したＰＥＲおよび／またはＢＥＲに基づいて、第２装置４から第１装置２への近距離磁気誘導リンクに対するリンク品質測定として受信品質を特定し得る。
【０１６２】
ステップＳ１０から特定されたリンク品質測定は、次いで、ステップＳ１１において品質閾値と比較される。品質閾値は、事前設定された閾値または選択可能な閾値であり得、これは、第１装置２と第２装置４との間の近距離磁気誘導通信リンクのために必要な最小限のデータレートを確保するための最低限の送信リンク品質を定義する。特定されたリンク品質測定が、ステップＳ１１において品質閾値を超える場合、方法は、ステップＳ１２へと進み、送信電力レベルを減少させる。特に、第１装置２の近距離磁気誘導トランシーバが、１つまたは複数の別々の電力値だけ異なる複数の異なる送信電力レベルにおいて作動するように構成される場合、第２装置２の制御回路は、第２装置２の近距離磁気誘導トランシーバの送信電力レベルを１段階電力レベルだけ減少させ得る。
【０１６３】
第２装置２は、減少された送信電力レベルも通信し得るか、あるいは、第２装置４への送信信号において、別々の電力値、例えば、所定の電力値段階だけ送信電力レベルを減少させるコマンドを提供し得る。
【０１６４】
ステップＳ１２における電力レベルの減少は、選択された送信電力レベルより低い送信電力レベルが第１装置２に対して利用可能であるという仮定の下において実施される。
【０１６５】
ステップＳ１２において送信電力レベルを適合（調整）した後、方法は、ステップＳ１５へと進み、調整された送信電力レベルによって近距離磁気誘導無線リンクの通信操作を実施する。
【０１６６】
次いで、方法は、方法の次のサイクルのためにステップＳ１０へと戻り得る。
【０１６７】
特定されたリンク品質測定が、ステップＳ１１において品質閾値を超えない場合（ステップＳ１１で「ＮＯ」）、方法は、ステップＳ１３へと進む。
【０１６８】
ステップＳ１３において、特定されたリンク品質測定が、品質閾値より低い場合、方法は、ステップＳ１４へと進み、送信電力レベルを増加させる。特に、第１装置２の近距離磁気誘導トランシーバが、１つまたは複数の別々の電力値だけ異なる複数の異なる送信電力レベルにおいて作動するように構成される場合、第２装置２の制御回路は、第２装置２の近距離磁気誘導トランシーバの送信電力レベルを１段階電力レベルだけ増加させる。
【０１６９】
ステップＳ１４において送信電力レベルを適合（調整）した後、方法は、ステップＳ１５へと進んで、調整された送信電力レベルによって近距離磁気誘導無線リンクの通信操作を実施する。
【０１７０】
次いで、方法は、方法の次のサイクルのためにステップＳ１０へと戻り得る。
【０１７１】
第２装置２は、増加された送信電力レベルも通信し得るか、または第２装置４への送信信号において、別々の電力値、例えば、所定の電力値段階だけ送信電力レベルを増加させるコマンドを提供し得る。
【０１７２】
ステップＳ１２における電力レベルの増加は、選択された送信電力レベルより小さい送信電力レベルが第１装置２に対して利用可能であるという仮定の下において実施される。これは、例えば、ステップＳ１０、Ｓ１１、Ｓ１３、およびＳ１４が、聴覚装置システム１の電源を入れた後の最初の初期起動において実施される場合ではないであろう。
【０１７３】
特定されたリンク品質測定が、ステップＳ１１においても（ステップＳ１１で「ＮＯ」）、ステップＳ１３においても品質閾値を超えない場合、特定されたリンク品質測定は、品質閾値より小さいと特定され、方法は、直接、ステップＳ１５へと進み、第２装置２がステップＳ１０からＳ１４の手順に入ったときの選択された送信電力レベルに対応する調整された電力レベルによって通信操作を続ける。この場合、調整された送信電力レベルは、有利には、許容可能な近距離通信リンク品質を確保する最も低い可能な送信電力値に送信電力レベルを動的に適合させることにより低い電力消費において、最低限の近距離通信リンク品質を確保する電力レベルに対応する。
【０１７４】
有利な聴覚装置システム１、その補聴器装置、および対応する通信方法における様々な実施形態を、本発明の例示的実施例として上記において説明したが、それらは、添付の特許請求の範囲において定義される。
【図１】
2020113971.tif 000003
【図２】
2020113971.tif 000004
【図３】
2020113971.tif 000005
【図４】
2020113971.tif 000006
【図５】
2020113971.tif 000007
【図６】
2020113971.tif 000008
【図７】
2020113971.tif 000009
【外国語明細書】
2020113971000001.pdf
2020113971000002.pdf
2020113971000003.pdf
2020113971000004.pdf